(57)【要約】      （修正有）【課題】演算子文学は、普通には見ることの出来ない物質の中から、ドラマ的に活動する部分を擬人化し、映像化して文学演算子即ちブンネコとして創造し、大衆に提供する。これらを管理するには、夫々に記号・番号・映像等を付して、便利にする必要がある。其の為の仕事をする管理ブンネコの開発が要求される。【解決手段】人形の輪郭Ｒの中に、頭、胸、腹の三部を分かち、頭部に映像提供窓Ｗを４個置き、胸部中央の胸骨相当部に基本数塔Ａ、その両側に肋骨に似せて識別レ−ンＬを四対配置し、腹部には、操作部を設けた構造を持たせた。【選択図】図１
2006158168.tif 000002
【特許請求の範囲】
【請求項１】
電子画面上に提示したり、コピ−して所持したり出来る文学演算子の一種であって、図１に示すように、人間の上半身を象る周縁Ｒを持ち、中央に胸骨に似せた基本数塔Ａを置き、その両側に肋骨に似せた識別レ−ン、即ちブンネコを指定する記号・番号・映像の枠列Ｌを四対配置し、上方の顔を意味する部分に４個の映像提示用の窓Ｗを設け、これらをコントロ−ルする操作部を下方の腹部に設けている記号・番号・映像等を指定管理する文学演算子。
【請求項２】
図２に示すように、基本数塔Ａは、三桁の正の整数を下から順に上へ積み重ねた内容となっており、小さい丸印の箇所に自然数をパソコンで打ち込むものであり、各層ごとに０から９９９までを提示し得て、二層使えば０から９９９，９９９までを、五層使えば０から９９９，９９９，９９９，９９９，９９９までの数字、即ち人体の細胞総数６０兆が夫々ブンネコとして創作されても、楽々と対応出来るものとし、同じく図２の識別数塔Ｂは、図３に示されるように、識別レ−ンの枠内の数字が大きい際に使われて、必要な層までＡ塔と同じ要領で数字の映像化に役立てる様にした記号・番号・映像等を指定管理する文学演算子。
【請求項３】
ブンネコに記号・番号・映像等を付すという一連の操作をするものを識別レ−ンＬという小枠の連鎖で表し、このレ−ンは動物界・植物界のように宇宙における存在様式により大別されるものであり、基本数塔の両側に肋骨状に展開されているが、各レ−ンの連続する小枠はＢ枠列で分類上の位置、例えば動物界では、門、綱、目、科、属、種などを表し、Ｃ枠列では、構造上の位置、即ち器官系、臓器、細胞集団、細胞、細胞内小器官、ＤＮＡなどによって細分されてゆき、このように識別レ−ン小枠のＢ列とＣ列によってブンネコに対する記号・番号の振り付けを行うようにした記号・番号・映像等を指定管理する文学演算子。
【請求項４】
識別レ−ンの後半部は、Ｉ枠で、指定されるブンネコイメ−ジの原姿を、頭部の左下の窓に提示する。Ｄ枠では、そのイメ−ジの原姿・漫画次元・人類次元・超人次元の変身を、夫々に四つの窓に提示するものであり、Ｍ枠は、既成のブンネコの変異を新しく登録しようとする際に用いる。ＰＶ枠は、ブンネコの生理ベクトルの検討に用いられる。Ｂ枠、Ｃ枠の記号枠は夫々に１から始まる自然数で番号が付けられる。一覧枠は、この様に記号枠の下の数字を定める際に必要な一覧図や表などを、図６の１８−Ｆの如く提示して検討に便利にし、この様に外部資料を必要とする際に、パソコン機能を利用する為に、取得や展開を実施する枠、即ち取得枠・展開枠を設け、これらを繋いで識別レ−ンの後半部の構造となした、記号・番号・映像等を指定管理する文学演算子。
【請求項５】
基本数塔Ａは、最下層の３個の数字で０から９９９までを表し、下から第２層でも０から９９９までを表し、それ以上の各層も同じく０から９９９までの数字で埋められるが、層ごとに数量の呼び方がブンネコ様式で付加される。即ち、図７下段のイではキロ、ロではメガ、ハではギガ、ニではテラ、ホではペタという具合に、数塔内の上部空間に各数量を表現するブンネコが、記載される。且つ、図７上段の識別レ−ン数塔Ｂ内の上位空間にも、夫々に枠を象徴するブンネコの姿を提示するものとし、斯様にして演算子文学における数量の演算子化を実施した、記号・番号・映像等を指定管理する文学演算子。
【発明の詳細な説明】
【発明の詳細な説明】
【０００１】  本発明は、演算子文学に用いられる文学演算子即ちブンネコが、６０兆を超えて開発されることを想定し、それらに夫々、記号・番号などを付け、取り扱いを容易にするために創案された。演算子文学というものは、従来様式の本稿と、ブンネコが営む現象を物語としたブンネコ稿と、ブンネコを映像化するメカニズム稿との、三種の文章群により成立する新しい様式を持つ文芸である。ブンネコとは、生体内の部分を擬人化し、映像として作品化されたものであるが、必ずしも生体とは限らず、薬品、地質学的物質、天体などの中からも、立ち上げる事の可能な役者であるから、２１世紀以降には無数に創案される筈である。この壮大なドラマのスタ−達を容易に取捨選択するのが、本発明の文学演算子、つまりブンネコをコントロ−ルするブンネコなのである。
【０００２】  構造は図１に示される如く、人体を象った輪郭Ｒの中で、頭部、胸部、腹部に大別される。頭部には映像提示用の窓Ｗが４個存在し、胸部の中央には胸骨相当の基本数塔Ａがある。その両側に肋骨の格好で識別レ−ンＬが四対並んでいる。この識別レ−ンで記号・番号などの付加が行われるが、宇宙の中のブンネコ対象物が増えれば、レ−ンの数も増やす事になる。
例示したものは、向かって左上のものを動物界に使い、その下に植物界、次に菌界、最下を薬品界とし、右最上を他の理科世界に当て、右第２を図書世界に充当し、第３を工作世界、最下を天体としたものである。
腹部は記号などの付加の操作を実施する処で、識別レ−ンを２段にし、上段を呼び出し用とし、下段を自己用とする。
その下に、自然数を提示する枠列を２段に配置し、右方に諸々の操作ボタンを備えている。
【０００３】  演算子文学は数量もブンネコ化して、分かり易くする。
図２に示されるように、数塔には基本数塔Ａと識別数塔Ｂとがある。夫々中に小さい丸印を多数入れているが、ここに数字が打ち込まれるのである。
小丸印は最下層に３個、つまり三桁の数字まで表現可能である。換言すれば０から始まって、自然数を９９９まで書き込む事が出来る。ブンネコが創案され記号・番号などを付けられて、本発明に収容される毎に自然数が１づつ増す事になる。下から第２層も同じく三桁、０から９９９までの数字が並び、最下層のものと合わせて、９９９，９９９まで表現出来る。更に上にも同じやり方で９９９が積み上げられて行く。最下層は千以下であるからキロ層と名付け、第２層は百万以下であるからメガ層と名付け、第３層は十億以下であるからギガ層と名付け、第４層は一兆、即ち１，０００，０００，０００，０００以下であるからテラ層と名付け、第５層は１千兆以下であるからペタ層と名付ける。人体の細胞総数は６０兆と謂われるが、それらは集団として機能している場合が多いので、２１世紀、２２世紀と経つ間に、どんどんブンネコとして創案されて行くだろうし、人体の他のあらゆる生物からも、ブンネコは開発されるに違いないし、その他の理科系各分野から呼び出されるブンネコの数を考えれば、数塔に投入される数は天文学的になるであろう。
科学者が象牙の塔の中で孤高を保つのも悪くはないが、演算子文学を利用して大衆と楽しみや利益を共有するのも、近い将来の在り方ではなかろうか。
数塔の意義は、学問の大衆化のために数量をブンネコ化する事に在る。
基本数塔Ａは登録されたブンネコの総数を示し、識別レ−ン数塔Ｂは識別レ−ンの枠のうち、数量の多い場合に図３のように使用される。
【０００４】  識別レ−ンは、枠の連鎖であり、枠の表現する内容によって記号・番号などが付けられるものである。図５に例示したように、レ−ンの向かって左側はブンネコの位置する動物界での、分類上の場所をＢ枠の連鎖を使って表す。界・門・綱・目・科・属・種と右方へ精緻な分類となる。その次にそのブンネコの生体内の場所を示すＣ枠が続く。即ち、器官系・臓器・細胞集団・細胞・細胞内小器官・ＤＮＡという具合に続いてブンネコの存在場所を明確にする。細胞集団の中には、より小さい集団が存在し、幾つもの序列を形成している場合も多い。其の時にはソノ記号枠が、一定数の亜枠を帯同して連なる事になる。亜枠でも大きさや機能は変わらない。
更にその右方に、操作に関する手技の枠を並べている。Ｉ枠で、存在場所を明示されたブンネコの映像を、頭部の左下の窓に提示する。Ｄ枠で、その映像の変身次元を４個の窓Ｗを使って吟味する。Ｍ枠は、使用者が既に存在するブンネコに関して、モディフィケ−ションを創案し、登録を希望する場合などに用いられる。ＰＶ枠は、ブンネコの生理ベクトルの検討に用いられる。一覧枠は、前述の夫々の枠内容を調べるに当たって、参考とする資料を外部から取り込み展開するのに用いる。図６にその模様を示した。具体的に述べれば、Ｂ枠・Ｃ枠の一つをクリックして活性化し、更に一覧をクリックすれば、図６の１８−Ｆとして図や表などが展開されるのであって、例えば門枠が活性化されて一覧枠により展開された時の１８−Ｆの上には、門に有る総ての綱が示されている。しかも、その綱には必ず１から始まる自然数によって番号が付けられるのである。
従って、Ｂ枠Ｃ枠の夫々には、必ず１から始まる自然数が含まれる。所期のブンネコは、その性質に応じてこれら数値の中から自分の数字を選ぶ事に為る。
Ｂ枠Ｃ枠の列が総て１１１１１１１１１１１１１という記号のブンネコも存在するのである。
また、或る枠の含む数が多くて、識別数塔を使わざるを得ない場合も少なくない。取得枠・展開枠は、一覧枠の実行に際して使われる。
【０００５】人型輪郭の腹部に相当する場所には、上記作業をコントロ−ルする操作部が用意されている。本発明を使うには、三つのケ−スがある。
第一は演算子文学の実務を担当している管理システムが、その責任に基づいて一通りの準備をする場合。
第二はブンネコ開発者が、その創案としての作品である新ブンネコを、管理システムに登録する場合。モディフィケ−ションの場合も含む。
第三は一般の人が、既に存在するブンネコを、参考として入手を希望する場合。
第一のケ−ス。管理システムは、肋骨の一本に相当する一つの界の識別レ−ンを担当するだけでも、かなりの作業が要求される。例えば動物界でもＢ枠、Ｃ枠の連鎖の各枠を埋める為に、参考として現学会公認の資料を外部より取得して、用に応じて図６の１８−Ｆの如く展開可能にして置かねばならない。そして、その内容に数字で番号を付しておく。すべてのＢ・Ｃ枠に一覧によって取り込まれた表なり図なりの、ブンネコを考慮される箇所に、１から始まる自然数の数字を、序列に従って付加して置くことになる。一個の識別レ−ンの完成は、それを利用するブンネコ開発者達や企業にとって、多大な恩恵と為るものと予測される。
例えば人類が著述した古今東西の、一切の書籍の記号・番号に関しても、一つの識別レ−ンが使われるだろうし、薬品の副作用情報が一本の識別レ−ンに纏められる等も容易に考えられるのである。
もし、これらのレ−ンの肋骨の本数を増して、宇宙の総ての事象を収めれば、一切の現象や人類の労作に記号・番号・映像等が付加されたものが、容易に手に入る事になる。
第二のコ−ス。新しくブンネコを創案した人は、そのブンネコの属する分類上の位地や生体内構造においての場所など、見当付けは出来ている筈だが、それを参考にして、呼び出しレ−ンに類似ブンネコの記号・番号・映像等を展開させる。自分で開発した新ブンネコをレ−ンのＢ枠、Ｃ枠の内容を調べて、自己レ−ンの枠に記入する。呼び出しレ−ンの記号・番号・映像等と、どの枠で異なっているかを調べ、異なっている枠の一覧図を吟味して、自分の新ブンネコの数値を検討し確定する。これをパソコンが調べて、即ち管理システムが認知したら、彼のブンネコが記号・番号・映像等を指定管理されたことになる。
第三のコ−ス。演算子文学に関心の有る人が、参考としてブンネコを見たい時に、そのブンネコの識別レ−ンの各枠の数値を、図４の上部数枠ハに記入し、右の展開ボタンを押せば、呼び出し用識別レ−ンに所望のブンネコの記号・番号・映像等が展開し、パソコンを使ってコピ−することが出来る。
また、所望のブンネコの数値が分かっていれば、それを図４の下部数枠ニに書き込み展開ボタンを押しても、呼び出し用識別レ−ンにブンネコの記号・番号・映像等が現れ、コピ−が可能となる。
【０００６】  現在、演算子文学は開発の目途が立ったばかりの状態で、今このような膨大な数値を予測するのは笑止の沙汰かもしれない。しかし、理解者は必ず増してくると思われる。文学演算子即ちブンネコは、生体内だけに居るとは限らないからだ。識別レ−ンの内容次第で、ブンネコの立ち上げは雨後の筍どころではあるまい。２１世紀中葉には、基本数塔に続々と数字が溢れるかも知れない。
そう謂う状況まで、この発明は役に立ちそうである。
【図面の簡単な説明】
【図１】本発明の平面図。電子画面上に提示されたり、コピ−されて紙上に印刷されたりするもの。
【図２】基本数塔Ａおよび識別数塔Ｂ。
【図３】識別レ−ンＬ。識別数塔Ｂが提示された状態。
【図４】自然数提示枠。上段ハは識別レ−ンの枠列に現れたもの。下段ニは基本数塔に記されたもの。
【図５】識別レ−ンの解説図。上段は識別数塔Ｂが添付された状態。下段は各枠の解説図。
【図６】全体像図１に一覧図１８−Ｆが展開された状態を示す。
【図７】基本数塔の演算子文学化の模様。上段に識別数塔Ｂ。下段に基本数塔Ａを示す。数量を表す呼び方、メガ、ギガなどを一連の演算子で表意し、その映像を数塔内の上部空間に含める。
【符号の説明】
Ｒは人の形をした像の輪郭。本発明を管理ブンネコと考えている。
Ｗは一般ブンネコ映像を提示する窓。４個存在する。
Ｌは識別レ−ン。この例では四対の肋骨で示されている。
操作部では、呼び出し用イと自己用ロとがある。
Ａは基本数塔。
Ｂは識別レ−ン数塔。
イ−−−呼び出し用識別レ−ン。
ロ−−−自己用識別レ−ン。
１−−−１以下は識別レ−ンの枠の説明。Ｂ１は界の数値。
２−−−Ｂ２。門の数値。
３−−−Ｂ３。綱の数値。
４−−−Ｂ４。目の数値。
５−−−Ｂ５。科の数値。
６−−−Ｂ６。属の数値。
７−−−Ｂ７。種の数値。
８−−−Ｃ枠は生体内の解剖的場所による。Ｃ１は器官系の数値。
９−−−Ｃ２。臓器の数値。
１０−−−Ｃ３．細胞集団の数値。
１１−−−Ｃ４。細胞の数値。
１２−−−Ｃ５。細胞内小器官の数値。
１３−−−Ｃ６。ＤＮＡ等の数値。
１４−−−Ｉ枠。イメ−ジ提示用。
１５−−−Ｄ枠。変身操作用。
１６−−−Ｍ枠。モディフィケ−ション検討に用いる。
１７−−−ＰＶ枠。ブンネコの生理ベクトルの吟味用。
１８−−−一覧枠。各枠の数値を調査する際に必要な資料を、外部から取得して図６の如く展開するためのもの。
１９−−−外部資料取得の為の枠。
２０−−−展開のための枠。
２１−−−操作ボタン。
２２−−−消去用ボタン。
【図１】
2006158168.tif 000003
【図２】
2006158168.tif 000004
【図３】
2006158168.tif 000005
【図４】
2006158168.tif 000006
【図５】
2006158168.tif 000007
【図６】
2006158168.tif 000008
【図７】
2006158168.tif 000009